(57)【要約】【課題】  着信待ちの状態で胸ポケットに収容したままで電源スイッチの操作ができるとともに、着信状態を目視で確認でき、また着信状態の認識が容易で使い勝手を良くすることができる折畳式携帯電話機を提供する。【解決手段】  第一の筐体１と、第二の筐体２と、前記二つの筐体１，２をそれぞれ一方の端部で折畳み可能に結合するヒンジ部５とを備えた折畳式携帯電話機において、一方の筐体の端部にアンテナ１４と着信表示手段１０を備えたことを特徴とする。【選択図】      図４ 
2005045842.tif 000002
【特許請求の範囲】
【請求項１】
第一の筺体と、第二の筺体と、前記二つの筺体をそれぞれ一方の端部で折畳み可能に結合するヒンジ部とを備えた折畳式携帯電話機において、
一方の筐体の端部にアンテナと着信表示手段を備えたことを特徴とする折畳式携帯電話機。
【請求項２】
第一の筺体と、第二の筺体と、前記二つの筺体をそれぞれ一方の端部で折畳み可能に結合するヒンジ部とを備えた折畳式携帯電話機において、
一方の筐体の端部にアンテナと発音体開口部を備えたことを特徴とする折畳式携帯電話機。
【請求項３】
第一の筺体は受話器を収容する請求項１ないし２のいずれか記載の折畳式携帯電話機。
【請求項４】
第二の筺体は送話器を収容する請求項１ないし３のいずれか記載の折畳式携帯電話機。
【発明の詳細な説明】
【技術分野】
【０００１】
本発明は、携帯電話機の折畳式携帯電話機に利用する。
【背景技術】
【０００２】
図５は第一従来例の折畳式携帯電話機の全体を示す図である。また図６は第二従来例の折畳式携帯電話機の全体を示す図である。図７は従来例の折畳式携帯電話機の胸ポケットへの収納状態を示す図である。
【０００３】
従来、折畳式携帯電話機は、図５に示すような構成であった。図５は電源スイッチ８が折畳式携帯電話機を折畳んだ状態の側面に配置され、電源スイッチ８の近傍に「オン」「オフ」の状態を示す確認手段９が配置されている。また、この場合に着信の報知は表示部４上の表示、またはこの表示の点滅、もしくは発音体開口部７よりの着信音にて行っている。これらはあくまでも図５（ａ）の状態、すなわち携帯電話の通話のために開いた状態で、操作がしやすいこと、または表示が確認しやすいことを配慮したためである。
【０００４】
また、図６に示すように電源スイッチ８がキー操作部６と同じ操作面に配置され、この「オン」「オフ」の状態や着信の状態などの表示は９、１０のごとくダイヤル番号表示部２１の中の固定表示として配置される場合も一般的である。符号７は筐体２の中に収容された発音体の開口部であり、図６（ａ）の開いた状態、図６（ｂ）の畳んだ状態のいずれの状態でも音が出るような構造となっている。
【０００５】
なお、図５および図６における符号１は少なくとも受話器を収容する筐体、２は少なくとも送話器を収容する筐体であり、５はヒンジ部である。また符号１３は受話器の開口部、３は送話器の開口部、１４はアンテナである。
【０００６】
一般に折畳式携帯電話機の折畳構造は、その携帯の便利さを意図したものである。すなわち、折畳んで長さを短くすることによりたとえば図７のようにワイシャツの胸ポケット等への収納も可能となる。
【０００７】
また、一般に折畳式携帯電話機は図５（ｂ）および図６（ｂ）のように折畳み、かつアンテナ１４を収納した状態でもある程度の受信感度が得られるように設計されている。このため図７のように折畳式携帯電話機を胸ポケットに収納した状態で着信を待っていることができる。このためには当然のことながら胸ポケットに入れた状態で電源スイッチの「オン」「オフ」およびこれの確認ができ、また、着信があったことがわかるのが望ましい。
【特許文献１】特願昭１−６９７８６号（特開平２−２４９３２４号公報）
【発明の開示】
【発明が解決しようとする課題】
【０００８】
しかし、このような従来例の折畳式携帯電話機では、図５のように電源スイッチ８が横に設置されているので操作がしづらく、また「オン」「オフ」状態の確認のためには、携帯電話機を取出さなくてはならない欠点がある。また図６の例ではポケットに入れた状態で電源スイッチの操作もこの確認も不可能な問題がある。さらに図５においても図６においても着信の有無をポケットに入れた状態では音で確認する以外に不可能であるが、発音体の取付位置も上面に無いので音圧が減衰する問題がある。一方このような携帯電話では会議中などの着信音が他人の迷惑にならぬよう着信音を出さず、ランプの点灯、点滅などで着信を知らせる方法も知られているが、図５および図６ともこれについて配慮されていない問題がある。
【０００９】
以上のように従来の例では図７に示すように携帯電話機を折畳んで収納性を良くしてあるものの、ポケットに収納して着信を待っている状態での操作性および状態を目視で確認することについては全く配慮されていない問題があった。
【００１０】
本発明は上記の問題を解決するもので、着信待ちの状態で胸ポケットに収容した場合に収容したままで電源スイッチの操作ができるとともに、着信状態を目視で確認でき、また着信状態の認識が容易で使い勝手を良くすることができる折畳式携帯電話機を提供することを目的とする。
【課題を解決するための手段】
【００１１】
本発明は、第一の筺体と、第二の筺体と、前記二つの筺体をそれぞれ一方の端部で折畳み可能に結合するヒンジ部とを備えた折畳式携帯電話機において、一方の筐体の端部にアンテナと着信表示手段を備えたことを特徴とする。
【００１２】
あるいは、一方の筐体の端部にアンテナと発音体開口部を備えたことを特徴とする。
【００１３】
又、第一の筐体は受話器を収容しても良い。又、第二の筺体は送話器を収容しても良い。
【００１４】
二つの筐体が折畳まれたときにヒンジ部に対して遠端となる二つの筐体の何れかの一方の端部の面上に電源スイッチ、この電源スイッチの「オン」「オフ」の確認手段および着信表示手段を設けてあるので、胸ポケットに入れたままで、電源スイッチの操作をし、「オン」「オフ」の確認および着信を知ることができる。
【００１５】
また、二つの筐体が折畳まれたときに上記ヒンジ部に対して遠端となる筐体の一方の端部の面上にアンテナを設けることにより胸ポケットに収納しやすくできる。
【００１６】
二つの筐体が折畳まれたときにヒンジ部に対して遠端となる二つの筐体の何れかの一方の端部の面上に発音体開口部を設ける場合もある。
【００１７】
以上により着信待ちの状態で胸ポケットに収容した場合に収容したままで電源スイッチの操作ができるときにも、電源スイッチの「オン」「オフ」状態および着信状態を目視で確認でき、また、着信時の発音の減衰も小さくなり、使い勝手を良くすることができる。
【発明の効果】
【００１８】
以上説明したように、本発明は、着信待ちの状態で胸ポケットに収容した場合に収容したままで電源スイッチの操作ができ、かつ電源スイッチの「オン」「オフ」状態および着信状態を目視により確認でき使い勝手を良くできる優れた効果がある。
【発明を実施するための最良の形態】
【００１９】
本発明の実施の形態の一例を図面を参照して説明する。
【実施例１】
【００２０】
図１は本発明の第一実施例の折畳式携帯電話機の全体図である。図１において、折畳式携帯電話機は、受話器を収容する第一の筐体として筐体１と、送話器を収容する第二の筐体として筐体２と、二つの筐体１、２をそれぞれの一方の端部で折畳み可能に結合するヒンジ部５とを備える。また、筐体１は、表示部４および受話器開口部１３を備え、筐体２は、送話器開口部３およびキー操作部６を備える。
【００２１】
ここで本発明の特徴とするところは、二つの筐体１、２が折畳まれたときにヒンジ部５に対して遠端となる筐体２の他方の端部（遠端部１２）の面上に電源スイッチ８、電源スイッチ８の「オン」「オフ」の確認手段９および着信表示手段１０を備えたことにある。
【００２２】
また、二つの筐体１、２が折畳まれたときにヒンジ部５に対して遠端となる筐体２の他方の端部（遠端部１２)の面上に発音体開口部７を備える。
【００２３】
このような構成の折畳式携帯電話機の動作について説明する。図４は本発明の折畳式携帯電話機の胸ポケットへの収容状態を示す図である。
【００２４】
図１および図４において、電源スイッチ８、電源スイッチ８の「オン」「オフ」の確認手段９および着信表示手段１０はヒンジ部５の遠端部１１、１２にすべて設置されているので、折畳んで胸ポケットに収納して着信待ちをする場合に、収納したまま電源スイッチ８の操作ができ、電源スイッチ８の「オン」「オフ」および着信状態を目視により確認でき使いやすい。
【００２５】
また、発音体開口部７が遠端部１２の側面に設けられているので着信状態が良くわかる。
【実施例２】
【００２６】
図２は本発明の第二実施例の折畳式携帯電話機の全体を示す図である。図２において、アンテナ１４が遠端部１１の面上に設けられているので胸ポケットに収容しやすくなっている。
【実施例３】
【００２７】
図３は本発明の第三実施例の折畳式携帯電話機の全体を示す図である。図３において、アンテナ１４の他に発音体開口部７が遠端部１１の面上に設けられているので、音の減衰も少なくなりさらに使いやすくなっている。発音体開口部７は遠端部１２に設けられてもよい。
【図面の簡単な説明】
【００２８】
【図１】本発明の第一実施例の折畳式携帯電話機の全体を示す図。
【図２】本発明の第二実施例の折畳式携帯電話機の全体を示す図。
【図３】本発明の第三実施例の折畳式携帯電話機の全体を示す図。
【図４】本発明の折畳式携帯電話機の胸ポケットへの収納状態を示す図。
【図５】第一従来例の折畳式携帯電話機の全体を示す図。
【図６】第二従来例の折畳式携帯電話機の全体を示す図。
【図７】従来例の折畳式携帯電話機の胸ポケットへの収納状態を示す図。
【符号の説明】
【００２９】
１  受話器を収容する筐体
２  送話器を収容する筐体
３  送話器開口部
４  表示部
５  ヒンジ部
６  キー操作部
７  発音体開口部
８  電源スイッチ
９  電源スイッチの「オン」「オフ」状態の確認手段
１０  着信表示手段
１１、１２  ヒンジ部からの遠端部
１３  受話器開口部
１４  アンテナ
２１  ダイヤル番号表示部
【図１】
2005045842.tif 000003
【図２】
2005045842.tif 000004
【図３】
2005045842.tif 000005
【図４】
2005045842.tif 000006
【図５】
2005045842.tif 000007
【図６】
2005045842.tif 000008
【図７】
2005045842.tif 000009